(57)【要約】      （修正有）【課題】磁力線の漏れを防止し、磁力線の上方への放出高度及び磁力線の強度が最大となる構造とすることで、磁気治療効果を高めることができる磁気治療器を提供する。【解決手段】低速回転磁気治療器は、２つ以上の偶数個の強磁性体１と、導磁回転アーム２と、を含む。各強磁性体１は、導磁回転アーム２の同一面上に対称に装着固定される。対称の２つの強磁性体１の自由面の磁極は異なる。強磁性体１の自由面の面積は、接続面の面積より大きい。強磁性体１の横断面は、角部が無い幾何学形である。導磁回転アーム２及び強磁性体１は、電動装置４によって回転される。【選択図】図１
0003176304.tif 000002
【実用新案登録請求の範囲】
【請求項１】
２つ以上の偶数個の強磁性体と、導磁回転アームと、を備える低速回転磁気治療器であって、
前記各強磁性体は、前記導磁回転アームの同一面上に対称に装着固定され、前記対称の２つの強磁性体の自由面の磁極は異なり、前記強磁性体の自由面の面積は、接続面の面積より大きく、前記強磁性体の横断面は、角部が無い幾何学形であり、前記導磁回転アーム及び前記強磁性体は、回転装置によって回転されることを特徴とする低速回転磁気治療器。
【請求項２】
前記強磁性体の横断面は、円形又は楕円形であることを特徴とする請求項１に記載の低速回転磁気治療器。
【請求項３】
前記強磁性体は、錐体又は円錐台体であることを特徴とする請求項２に記載の低速回転磁気治療器。
【請求項４】
前記強磁性体は、横断面が楕円形の円錐体、横断面が楕円形の円錐台体又は横断面が楕円形の半球体であることを特徴とする請求項１に記載の低速回転磁気治療器。
【請求項５】
前記強磁性体は、横断面が円形の円錐体、横断面が円形の円錐台体又は横断面が円形の半球体であることを特徴とする請求項３に記載の低速回転磁気治療器。
【請求項６】
前記強磁性体の数は、２つであることを特徴とする請求項１乃至５の何れかに記載の低速回転磁気治療器。
【請求項７】
前記導磁回転アームの材料は、高導磁率の鉄板であることを特徴とする請求項１乃至５の何れかに記載の低速回転磁気治療器。
【請求項８】
前記回転装置は、電動装置であり、前記導磁回転アーム上には、装着孔が設けられ、前記電動装置の軸は、前記装着孔内に挿着され、前記電動装置の軸と前記導磁回転アームとの間は、ピンによって接続されることを特徴とする請求項１乃至５の何れかに記載の低速回転磁気治療器。
【考案の詳細な説明】
【技術分野】
【０００１】
本考案は、磁気治療器に関し、特に、低速回転磁気治療器に関する。
【背景技術】
【０００２】
磁場は、人体、他の生物、水、化学剤などに影響を与える。これに鑑み、磁場は、人体局部への磁場治療（磁気治療）に応用されている。磁気治療は、現代医学においても応用されており、磁気治療器は、特許文献１の「電動磁気治療器」、特許文献２の「回転磁気治療器」及び特許文献３の「非外科手術により、人体内のカルシウム堆積物を除去する磁気装置」など、多く存在する。しかし、これらの従来技術は、欠点を有する。本考案の出願人は、従来技術の欠点を解決するために、特許文献４において、強磁場によって治療を行う「低速回転磁気治療器」を案出した。上述の従来の磁気治療器は、何れも開放式の磁場によって磁気治療を行うものである。しかし、開放式の磁場には、欠点が存在する。例えば、開放式の磁場には、磁力線の漏れが発生する。漏れが生じた磁力線では、高い磁気治療効果を実現できない上、漏れた磁力線により、近隣の携帯電話、テレビ、ラジオなどの装置が影響を受ける。また、開放式の磁場の磁力線は、分散するため、磁場の強度が弱く、磁力線の浸透距離が短く、磁気治療効果が低い。
【先行技術文献】
【特許文献】
【０００３】
【特許文献１】中国特許出願第８８２１４７４６．４号
【特許文献２】中国特許出願第８６２０６５３４号
【特許文献３】米国特許出願第４，５３７，１４１号
【特許文献４】中国特許登録第９３１１４０１３．１号
【考案の概要】
【考案が解決しようとする課題】
【０００４】
本考案の目的は、従来の開放式の磁場が採用された磁気治療器が有する、磁力線が漏れやすく、治療効果が低いという欠点を解決することができる低速回転磁気治療器を提供することにある。
【課題を解決するための手段】
【０００５】
上述の課題を解決するために、本考案の低速回転磁気治療器は、２つ以上の偶数個の強磁性体と、導磁回転アームと、を含む。各強磁性体は、導磁回転アームの同一面上に対称に装着固定される。対向する２つの強磁性体の自由面の磁極は異なる。強磁性体の自由面の面積は、接続面の面積より大きい。強磁性体の横断面は、角部が無い幾何学形である。導磁回転アーム及び強磁性体は、電動装置によって回転される。
【０００６】
強磁性体の横断面は、円形又は楕円形である。
【０００７】
強磁性体は、錐体又は円錐台体である。
【０００８】
強磁性体は、横断面が楕円形の円錐体、横断面が楕円形の円錐台体又は横断面が楕円形の半球体である。
【０００９】
強磁性体は、横断面が円形の円錐体、横断面が円形の円錐台体又は横断面が円形の半球体である。
【００１０】
強磁性体は、２つである。
【００１１】
導磁回転アームの材料は、高導磁率の材料である。
【００１２】
電動装置は、回転装置である。導磁回転アーム上には、装着孔が設けられる。電動装置の軸は、装着孔内に挿着される。電動装置の軸と導磁回転アームとの間は、ピンによって接続される。
【考案の効果】
【００１３】
本考案の低速回転磁気治療器は、偶数個の強磁性体が設けられる。強磁性体は、導磁回転アーム上に装着固定される。強磁性体の横断面は、角部の無い幾何学形である。これにより、磁力線の漏れ及び強磁性体の使用量を低減させることができる。また、所定の方向への磁場強度が増強されるため、磁力線が他の電子製品に干渉するのが防止される。強磁性体と導磁回転アームとが接続される接続面の面積は、反対側の自由面の面積より小さい。これにより、磁力線は、一方の強磁性体の自由面から放出され、他方の強磁性体の自由面から吸収される。また、強磁性体内部の磁力線は、一方の強磁性体から導磁回転アームを通過し、他方の強磁性体に進入する。これにより、磁力線が集中し、磁場強度が最大となる。また、磁場の辺縁効果により、磁力線の上方への放出高度が高くなり、磁束密度が高くなるため、磁気治療効果を高めることができる。また、電動装置により、導磁回転アーム及び強磁性体を低速回転させ、強磁場による磁気治療を行うことができる。
【図面の簡単な説明】
【００１４】
【図１】本考案の第１実施形態による低速回転磁気治療器を示す分解斜視図である。
【図２】本考案の第１実施形態による低速回転磁気治療器を示す斜視図である。
【図３】本考案の第２実施形態による低速回転磁気治療器を示す斜視図である。
【図４】本考案の第３実施形態による低速回転磁気治療器を示す斜視図である。
【図５】本考案の第４実施形態による低速回転磁気治療器を示す斜視図である。
【図６】本考案の低速回転磁気治療器を椅子に応用した状態を示す斜視図である。
【図７】本考案の低速回転磁気治療器を椅子に応用した状態を示す分解斜視図である。
【考案を実施するための形態】
【００１５】
本考案の目的、特徴および効果を示す実施形態を図面に沿って詳細に説明する。
【００１６】
（第１実施形態）
図１及び図２を参照する。図１及び図２に示すように、本考案の第１実施形態による低速回転磁気治療器は、強磁性体１、導磁回転アーム２及び電動装置４を含む。本実施形態中、導磁回転アーム２は、Ａ３鋼板から製造される。他の実施形態において、導磁回転アーム２は、他の導磁材料から製造してもよい。導磁回転アーム２は、帯状であり、両端には、強磁性体１がそれぞれ装着固定される。本実施形態中、強磁性体１は、円錐台形である。本実施形態中、強磁性体１の面積が小さい面（下表面）は、導磁回転アーム２上に装着固定される。ここで、強磁性体１の下表面を強磁性体１の接続面と称す。強磁性体１の面積が大きい面（上表面）は、磁場作用面である。ここで、強磁性体１の上表面を強磁性体１の自由面と称す。本実施形態中、強磁性体１は、ねじにより、導磁回転アーム２上に装着固定される。他の実施形態において、他の接続方式を採用してもよい。導磁回転アーム２の中間位置には、装着孔７が設けられる。電動装置４の軸５は、装着孔７内に挿着される。軸５と導磁回転アーム２とは、ピン６によって接続される。電動装置４は、導磁回転アーム２と導磁回転アーム２上の強磁性体１とを低速回転させる。
【００１７】
（第２実施形態）
図３を参照する。図３に示すように、本考案の第２実施形態による低速回転磁気治療器は、強磁性体１、導磁回転アーム２及び電動装置４を含む。本実施形態中、強磁性体１は、半球形である。強磁性体１の下表面（底面の球の中心点）は、導磁回転アーム２上に装着固定される。強磁性体１の上表面（平面部分）は、磁場作用面である。本実施形態中、強磁性体１は、ねじにより、導磁回転アーム２上に装着固定される。他の実施形態において、他の接続方式を採用してもよい。電動装置４は、導磁回転アーム２と導磁回転アーム２上の強磁性体１とを低速回転させる。
【００１８】
（第３実施形態）
図４を参照する。図４に示すように、本考案の第３実施形態による低速回転磁気治療器は、強磁性体１、導磁回転アーム２及び電動装置４を含む。本実施形態中、強磁性体１は、円錐台形である。また、強磁性体１の横断面は、楕円形である。強磁性体１の下表面（面積が小さい面）は、導磁回転アーム２上に装着固定される。強磁性体１の上表面（面積が大きい面）は、磁場作用面である。本実施形態中、強磁性体１は、ねじにより、導磁回転アーム２上に装着固定される。他の実施形態において、他の接続方式を採用してもよい。電動装置４は、導磁回転アーム２と導磁回転アーム２上の強磁性体１とを低速回転させる。
【００１９】
（第４実施形態）
図５を参照する。図５に示すように、本考案の第４実施形態による低速回転磁気治療器は、強磁性体１、導磁回転アーム２及び電動装置４を含む。本実施形態中、強磁性体１は、円錐形である。強磁性体１の下表面（円錐の頂点）は、導磁回転アーム２上に装着固定される（円錐の頂点が導磁回転アーム内部に挿着される）。強磁性体１の上表面（平面）は、磁場作用面である。本実施形態中、強磁性体１は、ねじにより、導磁回転アーム２上に装着固定される。他の実施形態において、他の接続方式を採用してもよい。電動装置４は、導磁回転アーム２と導磁回転アーム２上の強磁性体１とを低速回転させる。
【００２０】
ここで、本考案は、上述の実施形態のみに限定されない。上述の４つの実施形態及び図面中、導磁回転アーム２上には、強磁性体１が対称に１つずつ装着されるが、他の実施形態においては、導磁回転アーム２上に、複数の強磁性体を対称に装着してもよく、強磁性体が対称に装着されればよい。本考案においては、２つの強磁性体１が対称に装着されるのが好ましい。また、電動装置４と導磁回転アーム２との間は、ピン６によって接続されるのが好ましい。これにより、構造を簡素にし、利便性及び信頼性を高めることができる。しかし、他の実施形態において、電動装置４と導磁回転アーム２との間は、ベルトによって接続したり、歯車によって接続したりすることができ、電動装置４が強磁性体１を低速回転させられればよい。
【００２１】
図６及び図７を参照する。図６は、本考案の低速回転磁気治療器を椅子に応用した状態を示す斜視図である。図７は、本考案の低速回転磁気治療器を椅子に応用した状態を示す分解斜視図である。図６及び図７に示すように、本考案の低速回転磁気治療器は、磁気治療椅子上に応用することができる。磁気治療椅子のベース９内には、固定板３が装着固定される。固定板３上には、電動装置４が装着固定される。また、ベース９内には、支持板１１が装着固定される。支持板１１は、強磁性体１の上方に配置され、ユーザの体重を支持する。これにより、ユーザが強磁性体１の上方に座っても、強磁性体１の回転が影響を受けることはない。本実施形態中、固定板３は、エポキシフェノール繊維ガラス板（通称ベークライト板）から構成される。固定板３は、非導磁材料から構成され、鉄などの導磁材料を使用してはならない。これにより、磁力線は、固定板３をスムーズに通過することができる。
【００２２】
また、背もたれ８内には、他の磁気治療機構が装着される。他の磁気治療機構は、強磁性体を上下運動させる上下電動装置１２と、縦方向ガイドロッド１５と、ボルト１４と、を含む。上下電動装置１２は、ボルト１４を回動させる。本実施形態中、上下電動装置１２は、ベルトを介してボルト１４を回動させる。他の実施形態において、歯車などの駆動方式を採用してもよい。ボルト１４上には、ガイドブロック１３が嵌着される。また、ガイドブロック１３内には、内ねじ山が設けられる。これにより、ボルト１４が回動した際、ガイドブロック１３がボルト１４に沿って上下に変位する。本実施形態中、ボルト１４は直立に配置される。また、ボルト１４と平行に縦向きガイドロッド１５が配置される。本実施形態中、縦向きガイドロッド１５上には、スライドブロック１９が嵌着される。ガイドブロック１３とスライドブロック１９との間には、上下に移動可能な横向きガイドロッド１８が接続される。横向きガイドロッド１８は、回転軸であり、上下に移動可能な回動磁性体を貫通する。これにより、回動磁性体は、横向きガイドロッドを回転軸として回動する。本実施形態中、回動磁性体の一部は、背もたれ８の外側に露出する。即ち、上下電動装置１２がベルトを介してボルト１４を回動させた際、ガイドブロック１３が横向きガイドロッド１８を上下に往復運動させる。これにより、横向きガイドロッド１８は、回動磁性体を上下に往復運動させる。回動磁性体がユーザの背中において摺動しながら回動することにより、磁気治療効果が実現される。本実施形態中、回動磁性体は、円柱体である。回動磁性体は、両端が作用磁性体１７であり、中間がガイド磁性体１６である。ガイド磁性体１６は、円柱体であり、２つの半円柱体である磁性体が連結されて構成される。２つの半円柱体である磁性体の対向する面の磁極は異なる。これにより、磁化方向は、回転軸と垂直である。回動磁性体両端の２つの作用磁性体１７も円柱体であり、磁化方向は、回転軸と平行である。２つの作用磁性体１７とガイド磁性体１６とが接触する面の磁極は同一である。これにより、作用磁性体１７内の磁力線は、ガイド磁性体１６の作用により、集中して外部に放出される。これにより、磁気治療効果が実現される。また、本実施形態中、背もたれ８とベース９との間の角度は調節可能であるため、ユーザは、快適な姿勢で磁気治療を行うことができる。
【００２３】
本考案の低速回転磁気治療器を使用する際、電動装置４が導磁回転アーム２を低速回転運動させ、導磁回転アーム２上の強磁性体１が円周運動する。この際、外部の磁場は、強磁性体１の磁力線が一方の強磁性体１から放出され、他方の強磁性体１から吸収されることによって形成される。また、内部の磁場は、強磁性体１の磁力線が導磁回転アーム２を通過して他方の強磁性体１に導入されることによって形成される。本実施形態中、強磁性体１は円錐台形であり、横断面が角部の無い幾何学形である。これにより、磁力線が拡散し、他の電子装置に影響を与えるのが低減される。また、強磁性体１の自由面辺縁（円錐台底面）の角部が鋭いため、磁力線量が最強となって放出される。また、背もたれ８内に配置される上下に移動可能な回動磁性体と組み合わされることにより、人体に対し、効果の高い磁気治療を行うことができる。また、本考案は、磁気治療ベッド又は他の磁気治療器に応用することもできる。
【符号の説明】
【００２４】
１  強磁性体
２  導磁回転アーム
３  固定板
４  電動装置
５  軸
６  ピン
７  装着孔
８  背もたれ
９  ベース
１０  調節ロッド
１１  支持板
１２  上下電動装置
１３  ガイドブロック
１４  ボルト
１５  縦向きガイドロッド
１６  ガイド磁性体
１７  作用磁性体
１８  横向きガイドロッド
１９  スライドブロック
【図１】
0003176304.tif 000003
【図２】
0003176304.tif 000004
【図３】
0003176304.tif 000005
【図４】
0003176304.tif 000006
【図５】
0003176304.tif 000007
【図６】
0003176304.tif 000008
【図７】
0003176304.tif 000009